(57)【要約】【課題】シール性、装着性、バンド締結後の位置ずれ防止、装着状態の視認性、及び外観上の識別性を確保しつつ、低コスト化を図ることが可能なステアリング用ブーツを提供する。【解決手段】この目的を達成するため、小径環状取付部と、蛇腹部と、大径環状取付部とを備えるステアリング用ブーツであって、小径環状取付部は、ブーツバンドで装着相手部材に締め付け固定するブーツバンド締結領域を備え、ブーツバンド締結領域の小径環状取付部の内周面の一部に周方向に形成した内側環状凸部と、小径環状取付部の開口端から内側環状凸部が存在する位置に至るまでのスリットと、ブーツバンド締結領域の小径環状取付部の内周面の周方向に形成した１以上の環状突起とを備えたことを特徴とするステアリング用ブーツを採用する。【選択図】図１
2020016319.tif 000002
【特許請求の範囲】
【請求項１】
小径環状取付部と、蛇腹部と、大径環状取付部とを備えるステアリング用ブーツであって、
当該小径環状取付部は、ブーツバンドで装着相手部材に締め付け固定するブーツバンド締結領域を備え、
当該ブーツバンド締結領域の当該小径環状取付部の内周面の一部に周方向に形成した内側環状凸部と、
当該小径環状取付部の開口端から当該内側環状凸部が存在する位置に至るまでのスリットと、
当該ブーツバンド締結領域の当該小径環状取付部の内周面の周方向に形成した１以上の環状突起とを備えたことを特徴とするステアリング用ブーツ。
【請求項２】
前記小径環状取付部の前記ブーツバンド締結領域以外に、前記ブーツバンドを位置決めするための外側環状凸部を前記小径環状部外周面に備え、
前記内側環状凸部は、当該外側環状凸部よりも当該小径環状取付部内周面の蛇腹部側に位置する請求項１に記載のステアリング用ブーツ。
【請求項３】
前記小径環状取付部に備わる前記スリットは、当該小径環状取付部の開口端外周長をＬ、当該スリットの当該小径環状取付部における外周長の総和をＧｎとしたとき、
以下の条件式（１）に示す関係を備える請求項１又は請求項２に記載のステアリング用ブーツ。
【数１】
2020016319.tif 000011
【請求項４】
前記ブーツバンド締結領域において、前記タイロッドの中心軸線から当該タイロッドの外周面までの距離をＳｒ、当該タイロッドの中心軸線から前記内側環状凸部までの距離をＩｒ、当該タイロッドの中心軸線から前記環状突起の頂点までの距離をＰｒとしたとき、以下の条件式（２）に示す関係を備える請求項１乃至請求項３のいずれか一項に記載のステアリング用ブーツ。
【数２】
2020016319.tif 000012
【発明の詳細な説明】
【技術分野】
【０００１】
本発明は、主に自動車に用いられるステアリング用ブーツに関する。
【０００２】
従来より、自動車のステアリング装置は、タイロッドとステアリングラックハウジングとの間に、外部の水や塵埃等から保護するために可撓性を有するブーツが装着されている。このステアリング用のブーツは、伸縮変形自在な蛇腹部と、タイロッドに装着する小径環状取付部と、ステアリングラックハウジングに装着する大径環状取付部とで構成したものが一般的である。そして、ステアリング用ブーツは、これら環状取付部の外周面をバンドで締め付けることによって固定されるものである。
【０００３】
ステアリング用ブーツは、タイロッドの所定の位置に固定するため、小径環状取付部の内周面に備わる環状凸部を、タイロッドの外周面の周方向に備わる環状溝に嵌合するように用いられている。
【０００４】
ところで、ステアリング用ブーツの環状凸部をタイロッドの環状溝に嵌め込む作業は機械的に行うには技術面及びコスト面で難があり、人力に頼らざるを得ないのが現状である。このため、ステアリング用ブーツの小径環状取付部をタイロッドに装着する場合に、多大な負荷がかかり、環状凸部がタイロッドの環状溝を乗り越えてしまい、ステアリング用ブーツを所定の位置に正しく装着することが困難であった。
【０００５】
上述した問題に対し、特許文献１には、合成樹脂製ブーツ端部の端縁から内方に向かって所要数のスリットを形成し、その端部にゴムリングをモールド成形して埋め込み固定した等速ジョイント用のブーツの取付構造が開示されている。
【０００６】
また、特許文献２には、装着相手部材の溝部と係合する突起部の少なくとも一部に、側面に開口し周方向に延びる「すぐり」を設けた等速ジョイント用ブーツが開示されている。
【０００７】
特許文献１及び特許文献２に開示のブーツは、装着相手部品に装着する際の挿入荷重を低減させて、装着性の向上を図ろうとするものである。
【先行技術文献】
【特許文献】
【０００８】
【特許文献１】実開平２−９３５２４号公報
【特許文献２】特開２００５−１８８６３７号公報
【発明の概要】
【発明が解決しようとする課題】
【０００９】
しかし、特許文献１のブーツは、装着相手部品のシャフトに形成した係合溝に嵌合させるゴムリングの突条がクロロプレンゴムやシリコンゴム等の軟質材料であるため、シャフトの係合溝に倣いすぎて、ブーツを所定位置に係止させることが難しい。さらに、ゴムリングの突条と装着相手部品の係合溝との嵌合状態について、目視確認ができないという欠点を有する。また、ゴムリングをブーツの端部に埋め込み固定する複雑な構成のため、製造コストの上昇を招くという欠点がある。そして、ゴムリングが軟質材料であるが故に相手部材との間に皺が発生しやすく、シール性を安定かつ十分に得られない欠点がある。加えて、従来のブーツとは外観上見分けが付き難く、仕向先の間違い等の発生リスクが高まる欠点がある。
【００１０】
また、特許文献２のブーツでは、装着相手部材の溝部と係合する突起部に設けた「すぐり」により係合が正常に完了したか否かを作業者の感触や音で判定する。しかし、この判定の正確性は個人差や環境差によって左右される。さらに、この突起部に設けた「すぐり」の大きさ等によっても作業者の感触や音は変化するため、正確な判定は難しい。加えて、ブーツの突起部と装着相手部材の溝部との係合状態について、目視確認することができないという欠点を有する。
【００１１】
本発明は、シール性、装着性、バンド締結後の位置ずれ防止、装着状態の視認性、及び外観上の識別性を確保しつつ、低コスト化を図ることが可能なステアリング用ブーツを提供することを目的とする。
【課題を解決するための手段】
【００１２】
本発明の発明者等は、鋭意研究の結果、以下の技術的思想に想到し、上述の課題を解決するに到った。
【００１３】
本発明に係るステアリング用ブーツは、小径環状取付部と、蛇腹部と、大径環状取付部とを備えるステアリング用ブーツであって、小径環状取付部は、ブーツバンドで装着相手部材に締め付け固定するブーツバンド締結領域を備え、ブーツバンド締結領域の小径環状取付部の内周面の一部に周方向に形成した内側環状凸部と、小径環状取付部の開口端から内側環状凸部が存在する位置に至るまでのスリットと、ブーツバンド締結領域の小径環状取付部の内周面の周方向に形成した１以上の環状突起とを備えたことを特徴とする。
【００１４】
本発明に係るステアリング用ブーツは、小径環状取付部のブーツバンド締結領域以外に、ブーツバンドを位置決めするための外側環状凸部を小径環状取付部外周面に備え、内側環状凸部は、外側環状凸部よりも小径環状取付部内周面の蛇腹部側に位置することが好ましい。
【００１５】
本発明に係るステアリング用ブーツにおいて、小径環状取付部に備わるスリットは、小径環状取付部の開口端外周長をＬ、スリットの小径環状取付部における外周長の総和をＧｎとしたとき、以下の条件式（１）に示す関係を備えることが好ましい。
【００１６】
【数１】
2020016319.tif 000003
【００１７】
本発明に係るステアリング用ブーツは、ブーツバンド締結領域において、タイロッドの中心軸線からタイロッドの外周面までの距離をＳｒ、タイロッドの中心軸線から内側環状凸部までの距離をＩｒ、タイロッドの中心軸線から環状突起の頂点までの距離をＰｒとしたとき、以下の条件式（２）に示す関係を備えることが好ましい。
【００１８】
【数２】
2020016319.tif 000004
【発明の効果】
【００１９】
本発明に係るステアリング用ブーツは、タイロッドに装着する小径環状取付部の所定位置に環状凸部とスリットと環状突起とを備えることで、シール性、装着性、バンド締結後の位置ずれ防止、装着状態の視認性、及び外観上の識別性を確保できる。そして、従来に比べて他の部材を併用する必要もなく、低コスト化を図ることが可能になる。
【図面の簡単な説明】
【００２０】
【図１】本発明の一実施形態に係るステアリング用ブーツの全体斜視図である。
【図２】本発明の小径環状取付部を例示する半断面図である。
【図３】本発明の図２と異なる形態の小径環状取付部を示す半断面図である。
【図４】図１に示した小径環状取付部の開口端の断面図である。
【図５】本発明の小径環状取付部の内周形状とタイロッドの外周形状との関係を示す概略図である。
【図６】（１）が実施例１及び比較例１で用いるステアリング用ブーツの小径環状取付部の内周形状を示す部分断面図であり、（２）が実施例２及び比較例２で用いるステアリング用ブーツの小径環状取付部の内周形状を示す部分断面図である。
【図７】実施例１で用いる各ステアリング用ブーツの小径環状取付部に備わるスリット幅（％）の例示写真である。
【図８】実施例及び比較例の試験方法を説明する図である。
【図９】表１の最大挿入荷重（Ｎ）とスリット幅（％）との関係を示すグラフである。
【図１０】表１の乗上荷重（Ｎ）とスリット幅（％）との関係を示すグラフである。
【発明を実施するための形態】
【００２１】
以下、本発明に係るステアリング用ブーツについて、自動車用のラックアンドピニオン式ステアリング装置に適用する場合を想定して説明する。また、以下には本発明の一実施形態を図面を参照して詳述するが、本発明はこれに限定解釈されるものではない。
【００２２】
図１に示すように、本発明に係るステアリング用ブーツ１は、小径環状取付部２と、蛇腹部１０と、大径環状取付部２０とを備えるステアリング用ブーツである。そして、図２及び図３に示すように、小径環状取付部２は、ブーツバンド３０で装着相手部材に締め付け固定するブーツバンド締結領域Ｘを備えることを前提とする。なお、図２及び図３には、ブーツバンド３０の取付位置を示すため、ブーツバンド３０を破線により図示している。このときの小径環状取付部２は、「ブーツバンド締結領域Ｘの小径環状取付部内周面の一部に周方向に形成した内側環状凸部３」と、「小径環状取付部２の開口端から内側環状凸部３が存在する位置に至るまでのスリット４」と、「ブーツバンド締結領域Ｘの小径環状取付部内周面の周方向に形成した１以上の環状突起５」とを備えたことを特徴とする。以下、本発明において特徴的な「小径環状取付部２」について説明する。なお、「蛇腹部１０」、「大径環状取付部２０」については、従来のステアリング用ブーツに適用する技術概念を全て適用できるため、説明を省略する。以下に、「内側環状凸部３」、「スリット４」、「環状突起５」について順に説明する。
【００２３】
内側環状凸部：  図２を参照しつつ説明すると、内側環状凸部３は、タイロッドに備わる環状溝に嵌め込まれ、ブーツ１をタイロッドの所望位置に装着すると共に、ブーツバンド３０装着後にブーツ１の位置ずれが生じぬよう備わるものである。この内側環状凸部３は、ブーツバンド締結領域Ｘの小径環状取付部内周面の一部に周方向に形成することで、ブーツバンド３０を締め付けた時に、内側環状凸部３がタイロッドの環状溝にしっかりと嵌め込まれ、内側環状凸部３が環状溝から抜け出すのを効果的に抑制することができる。なお、内側環状凸部３は、その形状に関して特に限定されないが、タイロッドに備わる環状溝に対して極力隙間の生じない形状とすることが、上述した効果を得る上で望ましい。
【００２４】
また、図３に示すように、小径環状取付部２は、ブーツバンド締結領域Ｘ以外にブーツバンド３０を位置決めするための外側環状凸部６を外周面に備えることもできる。この場合には、内側環状凸部３は、外側環状凸部６よりも蛇腹部１０側に位置することが、ブーツバンド装着後におけるブーツ１の位置ずれ防止の観点から好ましい。なお、樹脂製のブーツ１は、ゴム製のものに比べ可撓性に劣るため、タイロッドに装着した後に位置ずれが生じやすい。しかし、上述したように、内側環状凸部３を備えることで、樹脂製のブーツ１であっても、ブーツバンド３０の締付力によりしっかりとタイロッドに固定される。
【００２５】
スリット：  図１〜図３を参照しつつ説明すると、スリット４は、タイロッドに対してブーツ１を装着する際の挿入荷重を低減すると共に、内側環状凸部３がタイロッドの環状溝に正常に嵌め込まれていることを目視で容易に確認するために備えられる。このスリット４の長さは、小径環状取付部２の開口端から内側環状凸部３を貫通した位置に至るまでとすることで、上述した効果を得ることができる。特に、内側環状凸部３が弾性に富んだ材質からなる場合、感触や音のみでこの確認を行うことは困難であるが、スリット４を上述した位置に備えることでこのような問題も起こらない。
【００２６】
さらに、上述したスリット４は、図４に示すように、小径環状取付部２の開口端外周長をＬ、スリット４の小径環状取付部２における外周長の総和をＧｎとしたとき、以下の条件式（１）に示す関係を備えることが好ましい。
【００２７】
【数３】
2020016319.tif 000005
【００２８】
この条件式（１）に示す関係を満たすことで、図５又は図６に示す状態で、「ブーツ１のタイロッド５０に対するシール性を確保」、「タイロッド５０に対するブーツ１の挿入荷重の低減」、「内側環状凸部３がタイロッドの環状溝５１に嵌め込まれているか否かの目視確認可能」という利点が同時に得られる。ここで、条件式（１）における「小径環状取付部２の開口端外周長Ｌ」と「スリット４の小径環状取付部２における外周長の総和Ｇｎ」との関係が０．００５未満の場合、内側環状凸部３の嵌合状態の目視による確認が困難となり好ましくない。また、この関係が０．５以上の場合、後述する実施例にて説明するように、ブーツ１の装着性及びシール性の低下を招く恐れがあるため好ましくない。なお、スリット４の本数は１０本以上では、金型加工が難しくなり、製造コストが増えてしまう。また、スリット４は、小径環状取付部２の円周方向に均等に形成することが視認性を得る上で好ましい。特に、３つの分割金型を用いてブロー成形でブーツを製造する際には、スリット４の本数は３の倍数であることが好ましい。
【００２９】
なお、小径環状取付部２に備わるスリット４の数が複数ある場合、スリット４は小径環状取付部２の周方向に均等に配置することが、バンド締結後の位置ずれ防止、装着状態の視認性を確保する上でより好ましい。
【００３０】
環状突起：  図１〜図３を参照しつつ説明すると、環状突起５は、ブーツ１のタイロッドに対するシール性の向上を図るために備えられるものである。環状突起５は、ブーツ１をタイロッドに装着する際の接触面積を小さくすることで摩擦抵抗を低減する。また、小径環状取付部２のブーツバンド締結領域Ｘの小径環状取付部２の内周面の周方向に１以上形成することで、ブーツバンド３０締結時にブーツ１のシール性を確実に高めることができる。なお、環状突起５は、その形状に関して特に限定されず、例えば断面を円弧形状や三角形状等とすることができる。
【００３１】
タイロッド形状を考慮したブーツ設計思想：  図５を参照しつつ説明すると、本発明に係るステアリング用ブーツ１は、ブーツバンド締結領域Ｘにおいて、タイロッド５０の中心軸線ＣＬからタイロッド５０の外周面５２までの距離をＳｒ、タイロッド５０の中心軸線ＣＬから内側環状凸部３までの距離をＩｒ、タイロッド５０の中心軸線ＣＬから環状突起５の頂点までの距離をＰｒとしたとき、以下の条件式（２）に示す関係を備えることが好ましい。
【００３２】
【数４】
2020016319.tif 000006
【００３３】
この条件式（２）に示す関係を満たすことで、ブーツ１のタイロッド５０に対するシール性の向上を図ることができる。
【００３４】
さらに、本発明に係るステアリング用ブーツ１は、スリット４の形状や本数を種々変更することで、外観上の見分けが付きやすくなり、仕向先の間違い等の発生リスクを抑えることができる。なお、本発明に係るステアリング用ブーツ１は、製造方法に関して特に限定されず、従前から用いられている方法を採用することができる。
【００３５】
以下に本発明における実施例を示し説明する。なお、本発明は、以下の実施例により何ら限定解釈されるものではない。
【実施例１】
【００３６】
本実施例１で用いるステアリング用ブーツ（以下、「実施１ブーツ」と称する。）は、図６（１）に示す如く内側環状凸部３を小径環状取付部２の開口端に備えた形態である。
【００３７】
具体的には、実施１ブーツは、ポリエチレン（ＰＥ）、ポリプロピレン（ＰＰ）、ポリブタジエン（ＢＲ）等のオレフィン系熱可塑性エラストマ（ＴＰＶ）からなるものである。また、小径環状取付部２の最小肉厚が１．７ｍｍ、タイロッド５０の中心軸線ＣＬからタイロッド５０の外周面５２までの距離Ｓｒが１０．０５ｍｍ、タイロッド５０の中心軸線ＣＬから内側環状凸部３までの距離Ｉｒが７．７５ｍｍ、タイロッド５０の中心軸線ＣＬから環状突起５の頂点までの距離Ｐｒが８．１５ｍｍの形態を備えたものである（図５を参照のこと。）。
【００３８】
また、本実施例１では、実施１ブーツに形成するスリット幅の総和Ｇｎを、小径環状取付部２の開口端の外周長Ｌに対して、０．５％、１０％、２０％、３０％、４０％、５０％、６０％の長さとしたものを準備した（図７（１）〜（７）を参照のこと。）。なお、この時のスリット本数は３本とした。そして、これら各ブーツを固定した状態で、図５及び図８に示すようにタイロッド５０を小径環状取付部２に挿通し、内側環状凸部３が環状溝５１に嵌め込まれるまでスライドする際の荷重（以下、「最大挿入荷重」と称する。）と、その後、ブーツ内側環状凸部３が環状溝５１から抜けて、タイロッド外周面に乗り上げる際の荷重（以下、「乗上荷重」と称する。）とを確認した。
【００３９】
以下、表１には、実施１ブーツを用いてこの確認を行った結果を示す。また、表１の結果に基づき、図９には最大挿入荷重（Ｎ）と小径環状取付部の開口端外周長（Ｌ）に対するスリットの小径環状取付部における外周長の総和（Ｇｎ）の比（Ｇｎ／Ｌ）×１００（％）（以下、「スリット幅（％）」と称する。）との関係のグラフを示し、図１０には乗上荷重（Ｎ）とスリット幅（％）との関係のグラフを示す。
【００４０】
【表１】
2020016319.tif 000007
【００４１】
表１、図９及び図１０に示す結果より、最大挿入荷重はスリット幅（％）が大きくなる程低減することが確認できた。さらに、スリット幅（％）が４０％を超えたあたりから、最大挿入荷重低下が徐々に一定値に収斂することも確認できた。最大挿入荷重低下が一定値に収斂する理由は、ブーツをタイロッドに挿入した当初は、内側環状凸部３の影響が支配的であったのが、スリット幅（％）が大きくなるに従って小径環状取付部２の締め代の影響が支配的となることが要因と推定される。ところで、タイロッド５０への挿入のしやすさ、及びタイロッド５０の環状溝５１へのブーツ内側環状凸部３の装着性を考えると、最大挿入荷重は、乗上荷重よりも小さくなることが必要である。従って、挿入のしやすさ、及び装着性の２つの観点から、スリット幅（％）は５０％未満であることが必要であることが分かった。また、スリット幅（％）があまりに小さくなると、タイロッド５０の環状溝５１へのブーツ内側環状凸部３の装着適否が視認できなくなるため好ましくない。以上の結果より、スリット幅（％）、すなわち、小径環状取付部２の開口端外周長Ｌに対するスリット４の小径環状取付部における外周長の総和Ｇｎの比（Ｇｎ／Ｌ）（ｎ＝１〜９）を０．５％以上でかつ５０％未満にすることが、ブーツ装着性の向上を図る上で好ましいことが確認できた。
【実施例２】
【００４２】
本実施例２で用いるステアリング用ブーツ（以下、「実施２ブーツ」と称する。）は、図６（２）に示す如く、内側環状凸部３を小径環状取付部２の開口端から離れたブーツバンド締結領域Ｘに備えた形態である。
【００４３】
具体的には、実施２ブーツは、ポリエチレン（ＰＥ）、ポリプロピレン（ＰＰ）、ポリブタジエン（ＢＲ）等のオレフィン系熱可塑性エラストマ（ＴＰＶ）からなるものである。また、小径環状取付部２の最小肉厚が１．４ｍｍ、タイロッド５０の中心軸線ＣＬからタイロッド５０の外周面５２までの距離Ｓｒが８．３５ｍｍ、タイロッド５０の中心軸線ＣＬから内側環状凸部３までの距離Ｉｒが６．２ｍｍ、タイロッド５０の中心軸線ＣＬから環状突起５の頂点までの距離Ｐｒが６．６ｍｍの形態を備えたものである（図５を参照のこと。）。
【００４４】
また、本実施例２では、実施２ブーツに形成するスリット幅（％）を、０．５％の長さとしたもののみを準備した（図７（１）を参照のこと。）。そして、この実施２ブーツに対し、実施例１と同様の確認を行った。以下の表２には、その結果を示す。
【００４５】
【表２】
2020016319.tif 000008
【００４６】
表２に示す結果より、スリット幅（％）の条件が同じ条件の実施１ブーツと比較して、よりタイロッドの最大挿入荷重の低減効果が図られることが確認できた。これは、実施２ブーツの方が実施１ブーツよりも内側環状凸部３の位置がブーツ蛇腹部側にあるため、スリットの長さ（ブーツ中心軸方向のスリットの長さ）が長くなったためであると考えられる。
【比較例】
【００４７】
［比較例１］
本比較例１で用いるステアリング用ブーツ（以下、「比較１ブーツ」と称する。）は、小径環状取付部２にスリット４を形成しない点を除き、実施１ブーツと同じである。そして、本比較例１では、実施例１と同様の確認を行った。以下の表３には、その結果を示す。
【００４８】
【表３】
2020016319.tif 000009
【００４９】
表３に示す結果より、比較１ブーツは、実施１ブーツと比較して、タイロッドの最大挿入荷重及び乗上荷重共に高い値となった。これは、小径環状取付部２におけるスリット４有無の違いによるものと考えられる。
【００５０】
［比較例２］
本比較例２で用いるステアリング用ブーツ（以下、「比較２ブーツ」と称する。）は、小径環状取付部２にスリット４を形成しない点を除き、実施２ブーツと同じである。そして、本比較例２では、実施例２と同様の確認を行った。以下の表４には、その結果を示す。
【００５１】
【表４】
2020016319.tif 000010
【００５２】
表４に示す結果より、比較２ブーツは、実施２ブーツと比較して、タイロッドの最大挿入荷重及び乗上荷重共に高い値を示した。これは、小径環状取付部２におけるスリット４有無の違いによるものと考えられる。また、最大挿入荷重は、比較例１よりも小さな値であった。このことは、ブーツ内側環状凸部３を小径環状取付部２の開口端近傍よりもブーツ蛇腹部１０側に位置させた方が、ブーツ挿入が容易となることを示している。
【００５３】
［まとめ］
以上より、本発明に係るステアリング用ブーツ１は、スリット４を小径環状取付部２の開口端から内側環状凸部が存在する位置まで形成することで、タイロッド５０に装着する際の挿入荷重を低減させて装着性の向上を図れると同時にシール性も確保されることが分かる。
【産業上の利用可能性】
【００５４】
本発明に係るステアリング用ブーツは、タイロッドに装着する小径環状取付部の所定位置に内側環状凸部と内側環状凸部まで延在するスリットと内側環状突起とを備えることで、シール性、装着性、バンド締結後の位置ずれ防止、装着状態の視認性、及び外観上の識別性を確保しつつ、低コスト化を図ることができ、産業上の利用価値が極めて高いものである。
【符号の説明】
【００５５】
１      ステアリング用ブーツ
２      小径環状取付部
３      内側環状凸部
４      スリット
５      環状突起
６      外側環状凸部
１０    蛇腹部
２０    大径環状取付部
３０    ブーツバンド
５０    タイロッド
５１    環状溝
５２    外周面
Ｘ      ブーツバンド締結領域
Ｌ      小径環状取付部の開口端外周長
Ｇｎ    スリットの小径環状取付部における外周長の総和
ＣＬ    タイロッドの中心軸線
Ｓｒ    タイロッド中心軸線からタイロッド外周面までの距離
Ｉｒ    タイロッド中心軸線から内側環状凸部までの距離
Ｐｒ    タイロッド中心軸線から環状突起の頂点までの距離
【図１】
2020016319.tif 000013
【図２】
2020016319.tif 000014
【図３】
2020016319.tif 000015
【図４】
2020016319.tif 000016
【図５】
2020016319.tif 000017
【図６】
2020016319.tif 000018
【図７】
2020016319.tif 000019
【図８】
2020016319.tif 000020
【図９】
2020016319.tif 000021
【図１０】
2020016319.tif 000022